(57)【特許請求の範囲】
【請求項１】
直方体状に構成された発泡樹脂製のブロック本体と、このブロック本体における少なくとも１つの側面に、壁面パネルを取り付けるためのビス等が結合されるように、ブロック本体に対して水平方向に抜け止めされた状態で上下方向に沿って埋設されたパネル支持部材と、を具備する複数の発泡樹脂ブロックが、パネル支持部材がそれぞれ設けられた各ブロック本体の側面によって垂直面が形成されるように、上下方向に積み重ねられており、各ブロック本体に設けられたパネル支持部材に、ビス等が結合されて、壁面パネルが取り付けられており、壁面パネルは、その上側縁部における表面を水平方向に切欠して上側縁部に沿った上側凹部を形成するとともに、下側縁部における背面も水平方向に切欠して下側縁部に沿った下側凹部を形成し、上下方向に配置される壁面パネルにおける上側の壁面パネルの下側凹部に、下側の壁面パネルの上側凹部を嵌合させ、下側の壁面パネルが上側の壁面パネルの下側凹部に嵌合された際に、下側の壁面パネルの上側縁の上方には間隙が形成されることを特徴とする壁体構造物。
【請求項２】
前記壁面パネルは、上下方向に積み重ねられた発泡樹脂ブロックの垂直面を構成する各側面との間に間隙が設けられている請求項１に記載の壁体構造物。
【請求項３】
上下方向に積み重ねられる発泡樹脂ブロック同士が、締結具によって締結されている請求項１に記載の壁体構造物。
【発明の詳細な説明】
【０００１】
【発明の属する技術分野】
本発明は、土木工事によって、壁体構造物等を構築するために使用される発泡ポリスチレン等の軽量の発泡樹脂ブロック、および、その発泡樹脂ブロックにて構築される壁体構造物に関する。
【０００２】
【従来の技術】
近時、各種土木工事にて壁体構造物等を構築する際に、発泡ポリスチレン等の軽量の発泡樹脂ブロックが使用されている。この発泡樹脂ブロックは、直方体状に成形されており、例えば、盛土の替わりに使用されて、各種構造物が構築される。
【０００３】
発泡樹脂ブロックを使用して壁体構造物を構築する場合には、例えば、まず、地盤上に基礎コンクリートを設けて、基礎コンクリート上に複数の支柱が水平方向に適当な間隔をあけて垂直に配置される。各支柱は、倒れないようにアンカー部材等によって固定される。その後、隣接する支柱間に、各支柱にて左右の各側部が上下方向にスライド可能に支持された複数の壁面パネルが上下方向に積み重ねられて、垂直な壁面が構築される。このようにして垂直な壁面が構築されると、その壁面と山の斜面との間に発泡樹脂ブロックが積み重ねられる。
【０００４】
このように、壁面を構築した後に、発泡樹脂ブロックを積み重ねる工法では、壁面を構築するために、各支柱を垂直に固定するために重機等が必要になり、支柱の固定、壁面パネル積み重ね等の作業が煩わしいという問題がある。
【０００５】
このような問題を解決するめたに、例えば、実用新案登録公報第２５０５９９７号には、発泡樹脂ブロックの一端部に枠体を嵌合して、枠体の複数箇所を複数のビスによって発泡樹脂ブロックに固定し、固定された枠体に、ビス等を結合することにより、壁面パネルを取り付ける構成が開示されている。このように、発泡樹脂ブロックに、枠体を介して壁面パネルを取り付ける構成では、支柱の固定等が不要になり、作業性が向上する。
【０００６】
【発明が解決しようとする課題】
しかしながら、この場合には、枠体を発泡樹脂ブロックに固定するために、枠体の複数箇所を複数のビスによって発泡樹脂ブロックに固定しなければならず、その作業が煩わしいという問題がある。
【０００７】
本発明は、このような問題を解決するものであり、その目的は、壁体構造物を効率よく構築することができる発泡樹脂ブロックを提供することにある。本発明の他の目的は、このような発泡樹脂ブロックを使用して、作業効率よく構築することができる壁体構造物を提供することにある。
【０００８】
【課題を解決するための手段】
本発明の請求項１に記載の壁体構造物は、直方体状に構成された発泡樹脂製のブロック本体と、このブロック本体における少なくとも１つの側面に、壁面パネルを取り付けるためのビス等が結合されるように、ブロック本体に対して水平方向に抜け止めされた状態で上下方向に沿って埋設されたパネル支持部材と、を具備する複数の発泡樹脂ブロックが、パネル支持部材がそれぞれ設けられた各ブロック本体の側面によって垂直面が形成されるように、上下方向に積み重ねられており、各ブロック本体に設けられたパネル支持部材に、ビス等が結合されて、壁面パネルが取り付けられており、壁面パネルは、その上側縁部における表面を水平方向に切欠して上側縁部に沿った上側凹部を形成するとともに、下側縁部における背面も水平方向に切欠して下側縁部に沿った下側凹部を形成し、上下方向に配置される壁面パネルにおける上側の壁面パネルの下側凹部に、下側の壁面パネルの上側凹部を嵌合させ、下側の壁面パネルが上側の壁面パネルの下側凹部に嵌合された際に、下側の壁面パネルの上側縁の上方には間隙が形成されることを特徴とする。
【００１１】
前記壁面パネルは、上下方向に積み重ねられた発泡樹脂ブロックの垂直面を構成する各側面との間に間隙が設けられている。
【００１２】
上下方向に積み重ねられる発泡樹脂ブロック同士が、締結具によって締結されている。
【００１３】
【発明の実施の形態】
以下、本発明の実施の形態を、図面に基づいて詳細に説明する。
【００１４】
図１は、本発明の発泡樹脂ブロックを使用して構築される壁体構造物の実施の形態の一例を示す斜視図である。この壁体構造物は、例えば、山の斜面における切土された場所に、多数の汎用性発泡樹脂ブロック２０および本発明の壁面支持用発泡樹脂ブロック１０が、上面が平坦になるように積み重ねられて構成されており、積み重ねられた発泡樹脂ブロック１０および２０上に、例えば、コンクリート床版が設けられて道路が構築される。
【００１５】
この壁体構造物では、山の斜面の遠方側にて、垂直面を形成するように積み重ねられる本発明の壁面支持用発泡樹脂ブロック１０と、この壁面支持用発泡樹脂ブロック１０が積み重ねられる部分以外の部分に積み重ねられる汎用発泡樹脂ブロック２０とが使用されている。そして、壁面支持用発泡樹脂ブロック１０によって形成される垂直面に、壁面パネル３１が取り付けられて壁体構造物が構築されている。
【００１６】
汎用発泡樹脂ブロック２０は、例えば、ポリスチレン、ポリエチレン、ポリプロピレン等を型内ビーズ発泡成形、または押出発泡成形することによって、上下方向の厚さが薄くなった直方体に形成されており、山の斜面に対して水平な状態で積み重ねられている。そして、上面にコンクリート床版が構築されるように、上面が水平にされている。このようにして汎用発泡樹脂ブロック２０が積み重ねられると、山の斜面の遠方側に、壁面支持用発泡樹脂ブロック１０が、外側に１つの垂直面を形成するように、積み重ねられている。
【００１７】
図２は、本発明の壁面支持用発泡樹脂ブロック１０の実施の形態の一例を示す斜視図である。この壁面支持用発泡樹脂ブロック１０は、例えば、発泡ポリスチレンによって直方体状に構成されたブロック本体１１と、ブロック本体１１における１つの垂直な側面に、水平方向に適当な間隔をあけて、それぞれが上下方向に沿って埋設された一対のパネル支持部材１２とを有している。
【００１８】
ブロック本体１１は、上面１１ａおよび下面１１ｂが水平であって、各側面１１ｃが垂直に構成された直方体状をしており、垂直な１つの側面１１ｃに、各パネル支持部材１２がそれぞれ埋設される一対の溝部１１ｄが水平方向に適当な間隔をあけて設けられている。各溝部１１ｄは、ブロック本体１１の上面１１ａおよび下面１１ｂに開口するように、それぞれ上下方向に沿って延びており、１つの側面１１ｃに、上下方向に沿って開口している。各溝部１１ｄの断面は、内奥側になるにつれて順次幅方向寸法が大きくなった台形状になっている。
【００１９】
各溝部１１ｄ内に埋設される各パネル支持部材１２は、例えばプラスチックによって、各溝部１１ｄの断面形状と同様の断面台形状に形成されており、各溝部１１ｄの開口部から、ブロック本体１１の側面１１ｃと面一になるように、１つの側面が露出している。各パネル支持部材１２は、各溝部１１ｄの全長にわたって嵌合されるように、各溝部１１ｄの上下方向長さと同様の長さに形成されている。
【００２０】
このような構成の壁面支持用発泡樹脂ブロック１０は、一対のパネル支持部材１２が設けられた各ブロック本体１１の側面１１ｃによって、１つの垂直面が形成されるように、水平方向に沿って上下方向に積み重ねられる。各壁面支持用発泡樹脂ブロック１０が積み重ねられると、各壁面支持用発泡樹脂ブロック１０における一対のパネル支持部材１２が設けられた側面１１ｃに、壁面パネル３１がそれぞれ突き合わされる。各壁面パネル３１は、各壁面支持用発泡樹脂ブロック１０における一対のパネル支持部材１２が設けられた側面１１ｃと同様の大きさの長方形の平板状をした押出セメント板によって構成されている。各壁面支持用発泡樹脂ブロック１０のパネル支持部材１２が設けられた側面１１ｃに各壁面パネル３１が突き合わせられると、各壁面支持用発泡樹脂ブロック１０に設けられた一対のパネル支持部材１２に沿って、複数のドリルビス３２が、上下方向に一定の間隔をあけて、壁面パネル３１にねじ込まれる。壁面パネル３１にねじ込まれる各ドリルビス３２は、壁面パネル３１を貫通して、各壁面支持用発泡樹脂ブロック１０に設けられたパネル支持部材１２にねじ込まれてパネル支持部材１２に結合される。これにより、各壁面パネル３１は、各壁面支持用発泡樹脂ブロック１０に対して取り付けられて、垂直状態に支持される。
【００２１】
なお、上記実施の形態では、各壁面パネル３１は、押出セメント板なよって構成されていたが、石綿板、合板、キーストンプレート、スレート板フェノール樹脂板等であってもよい。
【００２２】
ブロック本体１１に設けられた各溝部１１ｄ内に埋設された各パネル支持部材１２は、溝部１１ｄの内奥側部分が左右方向に広がった状態になっているために、溝部１１ｄに対して水平方向に抜け止めされた状態になっている。従って、各パネル支持部材１２に対して壁面パネル３１を支持するドリルビス３２が結合されても、各パネル支持部材１２はブロック本体１１から離脱するおそれがない。ブロック本体１１に設けられた各溝部１１ｄは、例えば、開口幅が３０ｍｍ、内奥面の幅が５０ｍｍ、奥行きが２０ｍｍとされ、また、上下方向の長さは、ブロック本体１１の上下方向長さに等しく、例えば、積み重ね時の歪み等を考慮して、４７０〜４９５ｍｍとされる。各パネル支持部材１２も、各溝部１１ｄの寸法と同様の寸法とされる。各パネル支持部材１２は、ブロック本体１１の側面１１ｃから水平方向に離脱させるためには、１００ｍｍの長さで３８ｋｇの力が必要であった。各パネル支持部材１２は、ブロック本体１１と型内ビーズ発泡成形時に同時成形により、または、ブロック本体１１を成形した後に、各溝部１１ｄ内に挿入することにより、製造される。
【００２３】
各壁面支持用発泡樹脂ブロック１０同士を積み重ねる際には、図１に示すように、上下に積み重ねられる各壁面支持用発泡樹脂ブロック１０間に、例えば一対の締結具４０がそれぞれ介在される。図３は、締結具４０の斜視図である。締結具４０は、金属板によって構成されており、各壁面支持用発泡樹脂ブロック１０間に挟まれる水平状の本体部４１を有している。本体部４１は、長方形状をしており、一対の側縁における中央部には、それぞれが側方に突出した突出部４１ａが設けられている。各突出部４１ａが設けられた各側縁における各突出部４１ａの各側部には、それぞれが上下反対方向に延出した３つの係止爪４２が、側縁に沿ってそれぞれ設けられている。
【００２４】
各係止爪４２がそれぞれ設けられた各側縁に対して直交する各側縁には、隣接する各係止爪４２の延出方向とは上下反対方向に延出した３つの係止爪４３が、その側縁に沿ってそれぞれ設けられており、さらに、その３つの係止爪４３に連続して、上下反対方向に延出する３つの係止爪４３が、その側縁に沿って設けられている。
【００２５】
このような締結具４０は、本体部４１が下側に配置された壁面支持用発泡樹脂ブロック１０の上面における壁面パネル３１が取り付けられる側面に近接した各側部にそれぞれ配置されて、下方に向かって延出する各係止爪４２および４３が、その壁面支持用発泡樹脂ブロック１０内にそれぞれ挿入されるように下方に押圧される。そして、その壁面支持用発泡樹脂ブロック１０上に、他の壁面支持用発泡樹脂ブロック１０が積み重ねられて、下方に押圧される。これにより、各締結具４０における上方に延出したそれぞれの係止爪４におよび４３が、上側に配置された壁面支持用発泡樹脂ブロック１０内に挿入される。これにより、上下に配置された各壁面支持用発泡樹脂ブロック１０同士は、相互に締結された状態になり、水平方向にずれるおそれがない。従って、各壁面支持用発泡樹脂ブロック１０に壁面パネル３１がそれぞれ取り付けられても、壁面パネル３１の荷重によって、各壁面支持用発泡樹脂ブロック１０が相互に水平方向にずれするおそれがない。
【００２６】
各壁面支持用発泡樹脂ブロック１０にそれぞれ設けられた各パネル支持部材１２は、合成樹脂によって断面台形状に形成する構成に限らず、ドリルビス３２等がねじ込まれるように、ブロック本体１１の側面１１ｃに上下方向に沿って露出した状態で、ブロック本体１１から水平方向に容易に離脱しないように抜け止めされていれば、どのような断面形状であってもよく、例えば、合成樹脂によって、図４（ａ）に示すように、ブロック本体１１の内奥側部分が左右方向に広がった断面Ｔ字状、あるいは、図４（ｂ）に示すように、ブロック本体１１の側面１１ｃに近接した部分と内奥側部分とがそれぞれ左右方向に広がって、それぞれの中央部同士が連結された断面Ｈ状に構成してもよい。
【００２７】
また、上下方向に延びる金属板を屈曲することによって、各パネル支持部材１２を構成してもよい。例えば、図４（ｃ）に示すように、金属板の幅方向中央部をブロック本体１１の側面１１ｃから露出するように、金属板の左右の各側縁部をブロック本体１１の内奥側に傾斜状態で屈曲させる構成、図４（ｄ）に示すように、ブロック本体１１の側面１１ｃから露出した幅方向中央部に連続して、ブロック本体１１の内奥側に傾斜状態で屈曲させた部分を設けるとともに、左右の各側縁部を、ブロック本体１１の側面１１ｃとはそれぞれ直交状態に屈曲させる構成、図４（ｅ）に示すように、ブロック本体１１の側面１１ｃから露出した幅方向中央部に連続して、ブロック本体１１の内奥側に向かって直角に屈曲した部分と、相互に離隔するように左右方向に向かって直角に屈曲された部分と、さらに、ブロック本体１１の内奥側に向かって直角に屈曲した部分とを設ける構成、また、図４（ｆ）に示すように、ブロック本体１１の側面１１ｃから露出した幅方向中央部に連続して、ブロック本体１１の内奥側に向かって直角に屈曲した部分と、相互に近接するように左右方向に直角に屈曲した部分とを設ける構成であってもよい。
【００２８】
なお、各壁面支持用発泡樹脂ブロック１０は、上下に積み重ねられる各壁面用発泡樹脂ブロック１０同士が上下方向に沿って整合させる構成に限らず、図５に示すように、上下に積み重ねられる各壁面支持用発泡樹脂ブロック１０同士が水平方向にずれた状態で積み重ねるようにしてもよい。この場合には、例えば、同じ大きさの各壁面支持用発泡樹脂ブロック１０同士が、上下方向に積み重ねられる際に、長手方向が相互に直交するように配置される。このために、各壁面支持用発泡樹脂ブロック１０は、図６に示すように、全ての側面１１ｃに、パネル支持部材１２がそれぞれ設けられる。パネル支持部材１２は、例えば、ブロック本体１１における長手方向に沿った側面１１ｃには、一対が設けられて、幅方向に沿った側面１１ｃには、１つが設けられる。
【００２９】
この場合にも、図５に示すように、上下方向に積み重ねられる壁面支持用発泡樹脂パネル１０の間に、図３に示す締結具４０が介在される。
【００３０】
また、各壁面支持用発泡樹脂ブロック１０に取り付けられる壁面パネル３１は、各壁面支持用発泡樹脂ブロック１０におけるブロック本体１１の側面１１ｃに密着させる構成に限らず、例えば、図５に示すように、各壁面支持用発泡樹脂ブロック１０の側面１１ｃとは適当な間隔があけられるように、目地材３３を介在させるようにしてもよい。目地材３３は、例えば発泡倍率が２０倍の発泡スチレンの押出成形品、ゴム等によって構成されている。このように、各壁面支持用発泡樹脂ブロック１０と壁面パネル３１との間に適当な間隙が形成されると、その間隙内の空気層が断熱層として機能し、気温の変化等による各壁面支持用発泡樹脂ブロック１０および汎用発泡樹脂ブロック２０の伸縮等によって、壁面パネル３１同士が当接するおそれがない。
【００３１】
さらに、図７に示すように、壁面パネル３１の上側縁部における表面を、水平方向に切欠して上側縁部に沿った上側凹部３１ａを形成するとともに、壁面パネル下側縁部における背面も、水平方向に切欠して下側縁部に沿った下側凹部３１ｂを形成するようにしてもよい。この場合には、上下方向に配置される壁面パネル３１における上側の壁面パネル３１の下側凹部３１ｂに、下側の壁面パネル３１の上側凹部３１ｂを嵌合される。そして、下側の壁面パネル３１が上側の壁面パネル３１の下側凹部３１ｂに嵌合された際に、下側の壁面パネル３１の上側縁の上方には、５〜２０ｍｍ程度の間隙が形成される。このように、上下方向に配置される各壁面パネル３１の下側縁部と上側縁部とが相互に嵌合した状態とされることにより、上下方向に積み重ねられる壁面支持用発泡樹脂ブロック１０の継ぎ目が隠れた状態になる。
【００３２】
なお、壁面支持用発泡樹脂ブロック１０に設けられたパネル支持部材１２は、壁面パネル３１を支持するためのドリルビス３２がねじ込まれて結合される構成に限らず、例えば、各パネル支持部材１２に、予めビスがネジ結合されるネジ孔を設けて、そのネジ孔にドリルビス３２をねじ込む構成であってもよい。
【００３３】
また、上記実施の形態では、壁面パネル３１の大きさを、各壁面支持用発泡樹脂ブロック１０におけるパネル支持部材１２が設けられた側面１１ｃと同様の大きさとして、各各壁面支持用発泡樹脂ブロック１０毎に１枚の壁面パネル３１を支持する構成であったが、壁面パネル３１の大きさを、各壁面支持用発泡樹脂ブロック１０の側面１１ｃよりも大きくして、複数の壁面支持用発泡樹脂ブロック１０によって１枚の壁面パネル３１を支持するようにしてもよい。
【００３４】
【発明の効果】
本発明の発泡樹脂ブロックは、ブロック本体に壁面パネルを支持することができるパネル支持部材が設けられているために、壁面パネルが直接パネル支持部材に取り付けることができ、壁体構造物を作業効率よく構築することができる。
【図面の簡単な説明】
【図１】本発明の発泡樹脂ブロックを使用して構築される壁体構造物の実施の形態の一例を示す要部の斜視図である。
【図２】その壁体構造物に使用される発泡樹脂ブロックの斜視図である。
【図３】上下方向に積み重ねられる発泡樹脂ブロックの締結に使用される締結具の斜視図である。
【図４】（ａ）〜（ｆ）は、それぞれ、本発明の発泡樹脂ブロックの実施の形態の他の例を示す要部の平面図である。
【図５】本発明の壁体構造物の実施の形態の他の例を示す要部の側面図である。
【図６】その壁体構造物に使用される発泡樹脂ブロックの斜視図である。
【図７】その壁体構造物に使用される壁面パネルの他の例を示す側面図である。
【符号の説明】
１０  壁面支持用発泡樹脂ブロック
１１  ブロック本体
１１ｃ  側面
１１ｄ  溝部
１２  パネル支持部材
２０  汎用発泡樹脂ブロック
３１  壁面パネル
３２  ドリルビス
３３  目地材
４０  締結具
【図１】
0003709276.tif 000002
【図２】
0003709276.tif 000003
【図３】
0003709276.tif 000004
【図４】
0003709276.tif 000005
【図５】
0003709276.tif 000006
【図６】
0003709276.tif 000007
【図７】
0003709276.tif 000008